(57)【特許請求の範囲】
【請求項１】
一枚の長尺状の合成樹脂製シート（１）の一方側の略前半部（Ｆ）において、長尺方向に設けた偶数個の孔（Ｈ）に、容器（Ｂ）の胴部（５）を表裏から交互に通過させ、前記合成樹脂製シート（１）の略中央部を、容器（Ｂ）の一端部でこの容器（Ｂ）側に折り返し、前記合成樹脂製シート（１）の他方側の略後半部（Ｌ）を、容器（Ｂ）の胴部（５）の後面側に沿わせ、この他方側の略後半部（Ｌ）側の折片（Ｌａ）を、容器（Ｂ）の他端部でこの容器（Ｂ）の他端部に沿うように折り返し、さらに前記合成樹脂製シート（１）の一方側の略前半部（Ｆ）側の折片（Ｆａ）を、容器（Ｂ）の他端部でこの容器（Ｂ）の他端部側に折り返し、これら折片（Ｌａ、Ｆａ）どうしを重ね合わせた状態にしたことを特徴とする容器包装体。
【請求項２】
前記孔（Ｈ）が二個、設けられていることを特徴とする請求項１記載の容器包装体。
【請求項３】
前記孔（Ｈ）が四個、設けられていることを特徴とする請求項１記載の容器包装体。
【請求項４】
前記孔（Ｈ）に、容器（Ｂ）の支持片（Ｈａ）を設けたことを特徴とする請求項１記載の容器包装体。
【請求項５】
前記容器（Ｂ）が、略円筒状とした胴部（５）の一端の抽出口側に広口の被蓋（６）を設け、他端を窄めてシール部（７）を設けた丸チューブであることを特徴とする請求項１記載の容器包装体。
【請求項６】
前記容器（Ｂ）が、略円筒状とした胴部（５）の一端の噴射口側に広口の被蓋（６）を設け、他端を丸底（８）としたスプレー缶であることを特徴とする請求項１記載の容器包装体。
【発明の詳細な説明】
【技術分野】
【０００１】
この発明は、化粧品等を収容するチューブやスプレー缶などの容器を包装するための容器包装体に関するものである。
【背景技術】
【０００２】
従来、この種の容器包装体としては、例えば、図１３、１４に示したようなパッケージ（特許文献１）や図１５、１６に示した収納箱体（特許文献２）が存在した。
【０００３】
図１３、１４に示したパッケージは、パッケージ本体１１を、収容部１２が形成されたケース１３と、ケース１３の裏面に設けられた台紙１４で構成している。この台紙１４は、上縁部に陳列フックが挿入される吊り下げ穴１５が設けられ、下部に谷折り部１６を設けて前方へ折曲できるようにしている。さらに、台紙１４の第１山折り部１７、第２山折り部１８を山折りして台紙１４の下部を裏面側に折り返し、第３山折り部１９より端部側を台紙１４の裏面に接着して折り返し部２０を形成している。
【０００４】
そして、前記折り返し部２０で脚部２１を構成し、脚部２１を前方に折曲した折曲状態において、脚部２１の係止穴２２が係合する係止部２３を、前記ケース１３の収容部１２の下部に設けている。
【０００５】
図１５、１６に示した収納箱体は、四角柱形状を有する角柱部３１と、この角柱部３１に連続し、前面２ａと背面２ｂとを潰して上端を線状に接合した扁平部３２とから構成されている。角柱部３１は、前面１ａと背面１ｂ、左右側面１ｃ、１ｄとによってその周側面が形成されている。また、扁平部３２は、前面１ａと背面２ｂと三角形の左右側面２ｃ、２ｄとによってその周面が形成されている。そして、角柱部３１の前面１ａは、扁平部３２の前面２ａに連続し、角柱部３１の背面１ｂは、扁平部３２の背面２ｂに連続している。
【０００６】
さらに、角柱部３１と扁平部３２との間には、ミシン目の切断線３ａが打たれており、環状の切り取り帯３３が形成されている。扁平部３２の接合線ＬＡには、この部分から突出する、商品陳列用フックに引っ掛けるための穴４ａを開口したタブ３４が形成され、タブ３４の両側には前面２ａから背面２ｂに折り曲げられて、両面を線状に接合する固定片３５、３５が形成されている。
【０００７】
このように構成された容器包装体は、その展開図において、角柱部３１の前面１ａ、左側面１ｃ、背面１ｂ、右側面１ｄのそれぞれの境界を稜線Ｌ11、Ｌ12、Ｌ13、Ｌ14としている。扁平部３２では、その上端は前面２ａと背面２ｂが接合されて、接合線ＬＡが形成されており、角柱部３１の稜線Ｌ11、Ｌ12、Ｌ13、Ｌ14が表面に連続して形成されている。
【０００８】
扁平部３２の側面２ｃ、２ｄでは、角柱部３１との境界線あって、かつ切り取り帯３３の上辺と一致する第一折曲げ線Ｌ１が形成され、さらに第一折曲げ線Ｌ１と稜線Ｌ11、Ｌ12、Ｌ13、Ｌ14とのそれぞれ２つの交点から、接合線ＬＡ方向に斜めに伸びる第二折曲げ線Ｌ２、第三折曲げ線Ｌ３が形成され、これら第二折曲げ線Ｌ２と第三折曲げ線Ｌ３の交点から接合線ＬＡまで伸びる第四折曲げ線Ｌ４が形成されている。
【先行技術文献】
【特許文献】
【０００９】
【特許文献１】特開２００５−１７８８３１
【特許文献１】特開２００７−１４５３４６
【発明の概要】
【発明が解決しようとする課題】
【００１０】
しかしながら、特許文献１に示されたパッケージでは、収容部１２が形成されたケース１３と、ケース１３の裏面に設けられた台紙１４で構成しているため、構成部材がこれらケース１３と台紙１４の二部材となり、一部材からなるものより、材料コストが高くなるという課題を有していた。
【００１１】
また、特許文献１に示されたパッケージでは、ケース１３がヒートシールなどによって、台紙１４に接着されているため、この接着するための特別の加工工程や作業が必要であり、作業コストが高くなるという課題を有していた。
【００１２】
さらに、特許文献１に示されたパッケージでは、ケース１３がヒートシールなどによって、台紙１４に接着されているため、このケース１３を台紙１４から取り外すのが困難であり、パッケージから容器が簡単に取り出せないという課題を有していた。
【００１３】
また、特許文献１に示されたパッケージでは、包装する容器はケース１３を透明体からなるものとすれば、ケース１３の内部に収納された容器は外観から見えるが、直接手に触れることができないため、店頭等での陳列効果に劣るという課題を有していた。
【００１４】
さらに、特許文献１に示されたパッケージでは、ケース１３がヒートシールなどによって、台紙１４に接着されているため、この台紙１４が包装する容器よりも広いスペースを占めるので、大型化してしまい、店頭等での陳列スペースの確保が困難であるという課題を有していた。
【００１５】
そして、特許文献２に示された収納箱体では、箱体が一部材で構成されているものの、角柱部３１は前面１ａと背面１ｂ、左右側面１ｃ、１ｄとによってその周側面が形成され、扁平部３２は前面１ａと背面２ｂと三角形の左右側面２ｃ、２ｄとによってその周面が形成されているため、広い面積の箱体材料が必要であり、材料コストが高くなるという課題を有していた。
【００１６】
また、特許文献２に示された収納箱体では、角柱部３１や扁平部３２に、折り目線となる稜線が数多く形成されているため、これら稜線を折り曲げて、箱体に組み立てるのが困難であり、作業コストが高くなるという課題を有していた。
【００１７】
さらに、特許文献２に示された収納箱体では、角柱部３１と扁平部３２との間には、ミシン目の切断線３ａが打たれ、環状の切り取り帯３３が形成されているので、容器を収納箱体から取り出すには、この切り取り帯３３を引っ張って外し、角柱部３１と扁平部３２とを分離させなければならないため、箱体から容器が簡単に取り出せないという課題を有していた。
【００１８】
また、特許文献２に示された収納箱体では、包装する容器は不透明の箱体の内部に収納されているので、外観からは見えず、直接手に触れることもできないので、店頭等での陳列効果に劣るという課題を有していた。
【００１９】
そこで、この発明は、材料コストが高くならず、包装作業が簡単であり、容器が簡単に取り出せ、しかも店頭等での陳列効果に優れた容器包装体を提供することを目的としている。
【課題を解決するための手段】
【００２０】
この発明の容器包装体は、一枚の長尺状の合成樹脂製シート１の一方側の略前半部Ｆにおいて、長尺方向に設けた偶数個の孔Ｈに、容器Ｂの胴部５を表裏から交互に通過させ、前記合成樹脂製シート１の略中央部を、容器Ｂの一端部でこの容器Ｂ側に折り返し、前記合成樹脂製シート１の他方側の略後半部Ｌを、容器Ｂの胴部５の後面側に沿わせ、この他方側の略後半部Ｌ側の折片Ｌａを、容器Ｂの他端部でこの容器Ｂの他端部に沿うように折り返し、さらに前記合成樹脂製シート１の一方側の略前半部Ｆ側の折片Ｆａを、容器Ｂの他端部でこの容器Ｂの他端部側に折り返し、これら折片Ｌａ、Ｆａどうしを重ね合わせた状態にしている
そして、この発明の容器包装体は、前記孔Ｈが二個または四個、設けられたものとしている。
【００２１】
さらに、この発明の容器包装体は、前記孔Ｈに容器Ｂの支持片Ｈａを形成したものとしている。
【００２２】
また、この発明の容器包装体では、前記容器Ｂを、略円筒状とした胴部５の一端の抽出口側に広口の被蓋６を設け、他端を窄めてシール部７を設けた丸チューブとしている。
【００２３】
さらに、この発明の容器包装体では、前記容器Ｂを、略円筒状とした胴部５の一端の噴射口側に広口の被蓋６を設け、他端を丸底８としたスプレー缶としている。
【発明の効果】
【００２４】
この発明の容器包装体は、材料コスト高くならず、折り曲げて包装する作業も簡単なものとなり、製品単価も非常に安いものとなる。
【００２５】
さらに、この発明の容器包装体は、合成樹脂製シートを容器から簡単に取り外すことができ、消費者にとって使い勝手のよいものとなり、しかも包装した容器が外観から見えると共に、直接手に触れることができるので、店頭等での陳列効果に優れたものとなる。
【００２６】
また、この発明の容器包装体は、従来の台紙を使用しているものに比べて、大型化することもなく、店頭等での陳列スペースの確保も簡単なものとなる。
【図面の簡単な説明】
【００２７】
【図１】この発明の容器包装体の一実施形態を示す展開図である。
【図２】この発明の容器包装体の一実施形態で容器を包装した状態を示す斜視図である。
【図３】この発明の容器包装体の一実施形態で容器を包装した状態（容器は仮想線で示している）を示す斜視図である。
【図４】この発明の容器包装体の一実施形態で容器を包装した状態（容器は仮想線で示している）を示す側面図である。
【図５】この発明の容器包装体の一実施形態による容器の包装順序を示す説明図である。
【図６】この発明の容器包装体の一実施形態による容器の包装順序を示す説明図である。
【図７】この発明の容器包装体の一実施形態による容器の包装順序を示す説明図である。
【図８】この発明の容器包装体の一実施形態による容器の包装順序を示す説明図である。
【図９】この発明の容器包装体の他の実施形態を示す展開図である。
【図１０】この発明の容器包装体の他の実施形態で容器を包装した状態を示す斜視図である。
【図１１】この発明の容器包装体の他の実施形態で容器を包装した状態（容器は仮想線で示している）を示す斜視図である。
【図１２】この発明の容器包装体の他の実施形態で容器を包装した状態（容器は仮想線で示している）を示す側面図である。
【図１３】従来の容器包装体の一例を示す斜視図である。
【図１４】図１４に示す従来の容器包装体の側面図である。
【図１５】従来の容器包装体の他の例を示す斜視図である。
【図１６】図１５に示す従来の容器包装体の展開図である。
【発明を実施するための形態】
【００２８】
以下、この発明の容器包装体を実施するための一形態を、図１〜４に基づいて詳細に説明する。
【００２９】
図１に示すように、この発明の容器包装体は、一枚の長尺状の合成樹脂製シート１の幅方向の略中央部に一本の折目線１ａを設け、一方側を略前半部Ｆとし、他方側を略後半部Ｌとしている。なお、折目線１ａには、中間部から略前半部Ｆ側または略後半部Ｌ側にかけて、略Ｕ字状に切り目を入れるなどして、摘み片２を設けたものとしている。また、この摘み片２は、図示していないが、孔を形成するなどして吊下げ片とすることもできる。
【００３０】
前記略前半部Ｆの外端部側には、折目線１ｂを介して当部Ｆａを設け、さらに折目線１ｃを介して折片Ｆｂを設けている。
【００３１】
さらに、前記略前半部Ｆには、折目線１ａと折目線１ｂの間に、長尺方向に二個の孔Ｈを設けている。前記二個の孔Ｈには、それぞれ対向した位置に、容器Ｂを支持するための支持片Ｈａ、Ｈａを設けたものとしている。また、前記孔Ｈの少なくとも一個には、対向させた支持片Ｈａ、Ｈａの間にもう一つの支持片Ｈｂを設けたものとしている。
【００３２】
前記折片Ｆｂには、略Ｕ字状に切り目を入れるなどして、係止ベロ３を設けている。
【００３３】
前記略後半部Ｌの外端部側には、折目線１ｄを介して当部Ｌａを設けている。
【００３４】
さらに、前記略後半部Ｌには、折目線１ｄの近辺に、前記折片Ｆｂに設けた係止ベロ３を係止しておくための係止スリット４を設けている。
【００３５】
前記容器Ｂは、略円筒状とした胴部５の一端の抽出口側に広口の被蓋６を設け、他端を窄めてシール部７を設けた丸チューブとしている。なお、前記折目線１ｄおよび折目線１ｂのそれぞれの中間部には、図示していないが、前記容器Ｂを包装したしたときに、被蓋６の周端が入り込んで、この容器Ｂの位置決めし易くするためのスリットを設けることができる。
【００３６】
そこで、この発明の容器包装体は、図５〜８に示したようにして、容器Ｂを包装するようにしている。
【００３７】
先ず、前記長尺方向に設けた二個の孔Ｈに、これらの孔Ｈの周囲の一部が容器Ｂの胴部５に接触するようにして、この容器Ｂの胴部５を表裏から交互に通過させる。
【００３８】
この場合、二個の孔Ｈの大きさが容器Ｂの胴部５の太さと略同一であれば、二個の孔Ｈに通過させた容器３の胴部３ａが、それぞれの孔Ｈの周囲の大部分に接触して、これらの孔Ｈにしっかりと支持される。
【００３９】
また、二個の孔Ｈの大きさが容器Ｂの胴部５の太さより、大きければ大きいほど、二個の孔Ｈに通過させた容器Ｂの胴部５が、それぞれの孔Ｈの周囲に接触する部分が少なくなり、これらの孔Ｈにしっかりと支持されなくなるが、この場合は、前記容器Ｂの胴部５が、支持片Ｈａ、Ｈｂに接触して、これらの孔Ｈにしっかりと支持されることになる。
【００４０】
次に、前記合成樹脂製シート１の略中央部の折目線１ａを、容器Ｂの一端部であるシール部７でこの容器Ｂのシール部７側に折り返し、折目線１ａをシール部７に当接させ、このシール部７を支持する。
【００４１】
そして、前記合成樹脂製シート１の他方側の略後半部Ｌを、容器Ｂの胴部５の後面側に沿わせるようにする。
【００４２】
次に、前記合成樹脂製シート１の他方側の略後半部Ｌ側の折片Ｌａの折目線１ｄを、容器Ｂの他端部である被蓋６でこの容器Ｂの被蓋６に沿うように折り返し、この被蓋６に当接させる。
【００４３】
さらに、前記合成樹脂製シート１の一方側の略前半部Ｆ側の折片Ｆａの折目線１ｂを、容器Ｂの他端部である被蓋６でこの容器Ｂの被蓋６に、前記合成樹脂製シート１の他方側の略後半部Ｌ側の折片Ｌａの上から沿うように折り返し、この折片Ｌａに当接させる。
【００４４】
そして、これら折片Ｌａ、Ｆａどうしを互いに係合させるなどして、重ね合わせた状態にしている。図示したものでは、前記折片Ｆｂの折目線１ｃを、前記合成樹脂製シート１の略後半部Ｌ側に折り返し、折片Ｆｂの係止ベロ３を、前記略後半部Ｌの係止スリット４に係止させて、前記折片Ｌａ、Ｆａを互いに重ね合わせた状態にしている。
【００４５】
次に、この発明の容器包装体を実施するための他の形態を、図９〜１２に基づいて詳細に説明する。
【００４６】
図９に示すように、この発明の容器包装体は、一枚の長尺状の合成樹脂製シート１の幅方向の略中央部に二本の折目線１ａを設け、これら折目線１ａの間を押当部Ｐとし、一方側を略前半部Ｆとし、他方側を略後半部Ｌとする。
【００４７】
前記略前半部Ｆの外端部側には、折目線１ｂを介して当部Ｆａを設け、さらに折目線１ｃを介して折片Ｆｂを設けている。
【００４８】
さらに、前記略前半部Ｆには、折目線１ａと折目線１ｂの間に、長尺方向に四個の孔Ｈを設けている。これらの孔Ｈは、先に述べたものでは二個としたが、偶数個であればよく、このように四個とすることもできる。前記四個の孔Ｈには、図示していないが、それぞれ対向した位置に、容器Ｂを支持するための支持片Ｈａ、Ｈａを設けたものとすることができる。また、前記孔Ｈの少なくとも一個には、対向させた支持片Ｈａ、Ｈａの間にもう一つの支持片Ｈｂを設けたものとすることもできる。
【００４９】
前記折片Ｆｂには、略Ｕ字状に切り目を入れるなどして、係止ベロ３を設けている。
【００５０】
前記略後半部Ｌの外端部側には、折目線１ｄを介して当部Ｌａを設けている。
【００５１】
さらに、前記略後半部Ｌには、折目線１ｄの近辺に、前記折片Ｆｂに設けた係止ベロ３を係止しておくための係止スリット４を設けている。
【００５２】
前記容器Ｂは、略円筒状とした胴部５の一端の噴射口側に、広口の被蓋６を設け、他端を丸底８としたスプレー缶としている。なお、前記折目線１ｂおよび折目線１ｄのそれぞれの中間部には、図示していないが、前記容器Ｂを包装したしたときに、丸底８の周端が入り込んで、この容器Ｂの位置決めし易くするためのスリットを設けることができる。
【００５３】
そこで、この発明の容器包装体は、以下に示したようにして、容器Ｂを包装するようにしている。
【００５４】
先ず、前記長尺方向に設けた四個の孔Ｈに、これらの孔Ｈの周囲の一部が容器Ｂの胴部５に接触するようにして、この容器Ｂの胴部５を表裏から交互に通過させる。
【００５５】
この場合、四個の孔Ｈの大きさが容器Ｂの胴部５の太さと略同一であれば、四個の孔Ｈに通過させた容器３の胴部３ａが、それぞれの孔Ｈの周囲の大部分に接触して、これらの孔Ｈにしっかりと支持される。
【００５６】
また、四個の孔Ｈの大きさが容器Ｂの胴部５の太さより、大きければ大きいほど、四個の孔Ｈに通過させた容器Ｂの胴部５が、それぞれの孔Ｈの周囲に接触する部分が少なくなり、これらの孔Ｈにしっかりと支持されなくなるが、この場合は、四個の孔Ｈに支持片Ｈａ、Ｈｂを設けたものとしておけば、前記容器Ｂの胴部５が、支持片Ｈａ、Ｈｂに接触して、これらの孔Ｈにしっかりと支持されることになる。
【００５７】
次に、前記合成樹脂製シート１の略中央部の押当部Ｐを、容器Ｂの一端部である被蓋６でこの容器Ｂの被蓋６側に折り返し、押当部Ｐを被蓋６に当接させ、この被蓋６を支持する。
【００５８】
そして、前記合成樹脂製シート１の他方側の略後半部Ｌを、容器Ｂの胴部５の後面側に沿わせるようにする。
【００５９】
次に、前記合成樹脂製シート１の他方側の略後半部Ｌ側の折片Ｌａの折目線１ｄを、容器Ｂの他端部である丸底８でこの容器Ｂの丸底８に沿うように折り返し、この丸底８に当接させる。
【００６０】
さらに、前記合成樹脂製シート１の一方側の略前半部Ｆ側の折片Ｆａの折目線１ｂを、容器Ｂの他端部である丸底８でこの容器Ｂの丸底８に、前記合成樹脂製シート１の他方側の略後半部Ｌ側の折片Ｌａの上から沿うように折り返し、この折片Ｌａに当接させる。
【００６１】
そして、これら折片Ｌａ、Ｆａどうしを互いに係合させるなどして、重ね合わせた状態にしている。図示したものでは、前記折片Ｆｂの折目線１ｃを、前記合成樹脂製シート１の略後半部Ｌ側に折り返し、折片Ｆｂの係止ベロ３を、前記略後半部Ｌの係止スリット４に係止させて、前記折片Ｌａ、Ｆａを互いに重ね合わせた状態にしている。
【００６２】
以上のように構成されたこの発明の容器包装体は、いずれの実施形態おいても、一枚の長尺状の合成樹脂製シート１からなるので、材料コスト高くならず、しかも折目線１ａ〜１ｄも幅方向に設けた短いものとし、その本数も少ないので、折り曲げて包装する作業が簡単なものとなり、製品単価も非常に安いものとなる。
【００６３】
さらに、この発明の容器包装体は、一枚の長尺状の合成樹脂製シート１に設けた複数の孔Ｈに容器Ｂの胴部５を表裏から交互に通過させたものとしているので、合成樹脂製シート１の略後半部Ｌの係止スリット４から、折片Ｆｂの係ベロ３を外せば、合成樹脂製シート１を容器Ｂから簡単に取り外すことができ、消費者にとって使い勝手のよいものとなり、しかも包装した容器Ｂは、外観から見えると共に、直接手に触れることができるので、店頭等での陳列効果に優れたものとなる。
【００６４】
また、この発明の容器包装体は、一枚の長尺状の合成樹脂製シート１からなるので、従来の台紙を使用しているものに比べて、大型化することもなく、店頭等での陳列スペースの確保も簡単なものとなる。
【００６５】
しかも、この発明の容器包装体は、折片Ｌａ、Ｆａを互いに重ね合わせた状態にすると、包装体の底面が平らものとなり、包装した容器Ｂを安定した状態で起立させておくことができ、この起立状態で簡単に店頭等に陳列しておくことができるものとなる。
【符号の説明】
【００６６】
１  合成樹脂シート
Ｆ  略前半部
Ｆａ  折片
Ｈ  孔
Ｈａ  支持片
Ｌ  略後半部
Ｌａ  折片
Ｂ  容器
５  胴部
６  被蓋
７  シ−ル部
８  丸底
【図１】
0005522601.tif 000002
【図２】
0005522601.tif 000003
【図３】
0005522601.tif 000004
【図４】
0005522601.tif 000005
【図５】
0005522601.tif 000006
【図６】
0005522601.tif 000007
【図７】
0005522601.tif 000008
【図８】
0005522601.tif 000009
【図９】
0005522601.tif 000010
【図１０】
0005522601.tif 000011
【図１１】
0005522601.tif 000012
【図１２】
0005522601.tif 000013
【図１３】
0005522601.tif 000014
【図１４】
0005522601.tif 000015
【図１５】
0005522601.tif 000016
【図１６】
0005522601.tif 000017